(57)【要約】【課題】複数連結できて容易に一体化できるワイヤレスマイク用の充電器を提供する。【解決手段】筐体の側面に凹状のあり溝１６を形成し、反対側の側面に凸状のあり溝１８を形成し、筐体にアウトレット３０を先端に有する連結コード３２とインレット３４をそれぞれに設ける。筐体を凹状と凸状のあり溝１６，１８により係合させて複数連結するとともに、アウトレット３０を隣接して連結された他の筐体に設けられたインレット３４に電気的接続して連結された複数の充電器を電気的接続する。また、あり溝１６，１８が形成された一方の側面に、あり溝１６，１８の係合方向と直交する方向に突出および引き込み設定できるロック部材２０を設け、ロック部材２０に臨んで反対側の側面にロック部材の突出によりその突出部２０ｂが挿入係合し得る係合孔２４を設ける。【選択図】  図４
2005229785.tif 000002
【特許請求の範囲】
【請求項１】
筐体の側面に凹状のあり溝を形成するとともに前記側面と反対側の側面に前記凹状のあり溝と係合し得る凸状のあり溝を形成し、前記筐体にアウトレットを先端に有する連結コードとインレットをそれぞれに設け、前記筐体を前記凹状と凸状のあり溝により係合させて複数連結し得るようにするとともに、前記アウトレットを隣接して連結された他の筐体に設けられた前記インレットに電気的接続して連結された複数の充電器を電気的接続し得るように構成したことを特徴とするワイヤレスマイク用の充電器。
【請求項２】
請求項１記載のワイヤレスマイク用の充電器において、前記あり溝が形成された一方の前記側面に前記凹状と凸状のあり溝の係合方向と直交する方向に突出および引き込み設定できるロック部材を設け、前記ロック部材に臨んで反対側の側面に前記ロック部材の突出によりその突出部が挿入係合し得る係合孔を設けて構成したことを特徴とするワイヤレスマイク用の充電器。
【請求項３】
請求項１記載のワイヤレスマイク用の充電器において、前記筐体の底面に凹部を設け、この凹部に前記アウトレットを先端に有する連結コードと前記インレットを設けるとともに、前記凹部より前記側面に至る連通溝を設け、前記連結コードが前記連通溝を経てその先端のアウトレットが隣接して連結された他の充電器に設けられた前記インレットに電気的接続し得るように構成したことを特徴とするワイヤレスマイク用の充電器。
【発明の詳細な説明】
【技術分野】
【０００１】
複数連結して一体化することのできるワイヤレスマイク用の充電器に関するものである。
【背景技術】
【０００２】
カラオケボックス等において、マイクを持った歌い手は歌うのと同時に身振り手振りの動きを付けて楽しむことが多い。そこで、自由に動きを楽しむことのできるワイヤレスマイクが汎用されている。このワイヤレスマイクには、蓄電池が内蔵されており、時折この蓄電池への充電が必要である。
【０００３】
このワイヤレスマイク用の充電器としては、一例として特開平０８−１６３７８４号公報に示されるごとく、充電器の筐体の上面にワイヤレスマイクの下端部分を挿入し得る有底孔などのマイク挿入用凹部が設けられ、ワイヤレスマイクの挿入により、ワイヤレスマイクの下端に設けられた接点端子と、有底孔の底に設けられたスプリングコネクタが当接して電気的接続され、ワイヤレスマイクに内蔵される蓄電池が充電されるように構成されている。
【特許文献１】特開平０８−１６３７８４号公報
【発明の開示】
【発明が解決しようとする課題】
【０００４】
上述の従来のワイヤレスマイク用の充電器は、１台で１本または２本のワイヤレスマイクを充電するものであって、多数のワイヤレスマイクを同時に充電するためには、何台もの充電器を並べて置いて行わなければならない。しかるに、何台もの充電器を置いた場合に、一体化されていないので、配置が乱れやすく、取り扱いにくいという不具合があった。
【０００５】
本発明は、かかる従来のワイヤレスマイク用の充電器の不具合を改善すべくなされたもので、複数連結できて容易に一体化することのできるワイヤレスマイク用の充電器を提供することを目的とする。
【課題を解決するための手段】
【０００６】
かかる目的を達成するために、本発明のワイヤレスマイク用の充電器は、筐体の側面に凹状のあり溝を形成するとともに前記側面と反対側の側面に前記凹状のあり溝と係合し得る凸状のあり溝を形成し、前記筐体にアウトレットを先端に有する連結コードとインレットをそれぞれに設け、前記筐体を前記凹状と凸状のあり溝により係合させて複数連結し得るようにするとともに、前記アウトレットを隣接して連結された他の筐体に設けられた前記インレットに電気的接続して連結された複数の充電器を電気的接続し得るように構成されている。
【０００７】
そして、前記あり溝が形成された一方の前記側面に前記凹状と凸状のあり溝の係合方向と直交する方向に突出および引き込み設定できるロック部材を設け、前記ロック部材に臨んで反対側の側面に前記ロック部材の突出によりその突出部が挿入係合し得る係合孔を設けて構成しても良い。
【０００８】
さらに、前記筐体の底面に凹部を設け、この凹部に前記アウトレットを先端に有する連結コードと前記インレットを設けるとともに、前記凹部より前記側面に至る連通溝を設け、前記連結コードが前記連通溝を経てその先端のアウトレットが隣接して連結された他の充電器に設けられた前記インレットに電気的接続し得るように構成することもできる。
【発明の効果】
【０００９】
請求項１記載のワイヤレスマイク用の充電器にあっては、筐体の側面の凹状と凸状のあり溝を係合させることにより、複数台の充電器を簡単に機械的に連結して一体化することができる。しかも、連結コードの先端のアウトレットを隣接して連結された他の充電器のインレットに電気的接続することで、簡単に複数台の充電器を電気的に接続し得る。
【００１０】
そして、請求項２記載のワイヤレスマイク用の充電器にあっては、凹状と凸状のあり溝の係合方向と直交する方向に突出および引き込み設定できるロック部材と、このロック部材の突出によりその突出部が挿入係合する係合孔を設けたので、凹状と凸状のあり溝による係合状態において、ロック部材を突出状態に設定してその突出部を係合孔に挿入係合させると、あり溝は外れ得る方向に相対移動できず、連結が外れることがない。
【００１１】
さらに、請求項３記載のワイヤレスマイク用の充電器にあっては、筐体の底面の凹部にアウトレットを先端に有する連結コードとインレットを設けるとともに、凹部より筐体の側面に至る連通溝を設けたので、凹状と凸状のあり溝で連結された複数の充電器を、連結コードを連通溝を経させて底面側で電気的接続できる。しかも、連結コードを他の充電器に接続させる必要がなければ、底面の凹部に収容でき、外部からの美感に優れている。
【発明を実施するための最良の形態】
【００１２】
以下、本発明の実施例を図１ないし図１４を参照して説明する。図１は、本発明のワイヤレスマイク用の充電器の一実施例の単体の平面図である。図２は正面図である。図３は、背面図である。図４は、底面図である。図５は、右側面図であり、ワイヤレスマイクの挿入状態を一点鎖線で付加した図である。図６は、ロック部材を示し、（ａ）は平面図、（ｂ）は正面図、（ｃ）は底面図、（ｄ）は側面図、（ｅ）は（ｂ）のＡ−Ａ矢視断面図である。図７は、充電器の筐体にロック部材を組み付けた状態の要部縦断面図である。図８は、図７の底面の部材の要部Ｂ矢視図である。図９は、図７の底面の部材の要部Ｃ矢視図である。図１０は、組み付けられて引き込み状態に設定されたロック部材の平面図である。図１１は、突出状態に設定されたロック部材の平面図である。図１２は、本発明のワイヤレスマイク用の充電器を３台連結した状態の底面図である。図１３は、３台連結した状態の側面図である。図１４は、３台連結した状態の電気回路図である。
【００１３】
本発明のワイヤレスマイク用の充電器１０は、略直方体の筐体からなり、筐体の上面にワイヤレスマイクが挿入し得る２つの有底孔などからなるマイク挿入用凹部１２，１２が設けられるとともに、充電器１０に電源が印加されているがワイヤレスマイクが挿入されていない状態か、またはワイヤレスマイクが挿入されて充電中か、さらに充電が完了した状態かをそれぞれに示す表示部１４が設けらていれる。そして、筐体の１つの側面に縦方向の凹状のあり溝１６が形成され、この側面と反対側の側面に縦方向の凸状のあり溝１８が形成される。凹状のあり溝１６と凸状のあり溝１８とは、縦方向に相対移動させることで、係合し得る構造である。さらに、凹状のあり溝１６の底面には、後述するロック部材２０の突出部２０ｂが突出および引き込む突出口２２が開口され、凸状のあり溝１８の突出口２２に臨む位置にロック部材２０の突出部２０ｂが挿入係合し得る係合孔２４が設けられている。
【００１４】
また、筐体の底面の部材２６には凹部２８が設けられ、この凹部２８の側壁より先端にアウトレット３０が設けられた連結コード３２が突出するように設けられている。そして、凹部２８の側壁の他の位置にアウトレット３０が電気的接続し得るインレット３４が設けられ、さらにアウトレット３０が電気的接続されずに挿入固定し得る固定用孔３６が設けられる。そしてまた、凹部２８より筐体の側面に至る連通溝３８，３８が設けられる。
【００１５】
そして、底面の部材２６の凹部２８の底面に、ロック部材２０が組み付けられる。ロック部材２０は、図６に示すごとく、断面略エ字状の部分２０ａと先端側の突出部２０ｂとが樹脂により一体形成されている。そして、断面略エ字状の部分２０ａの上部板２０ｃには長さ方向に両側縁に添って少し内側にスリット２０ｄ，２０ｄが設けられるとともに両側縁にそれぞれ３つの突部２０ｅ，２０ｅ…が設けられる。これらのスリット２０ｄ，２０ｄにより上部板２０ｃの両側縁は弾性変形可能である。また、突出部２０ｂには、先端より少しずれて張り出し部２０ｆが設けられている。
【００１６】
また、筐体の底面の部材２６には、ロック部材２０が組み付けられる摺動溝４０が、図８および図９のごとく、筐体の側面に対して直交方向に形成される。しかも、摺動溝４０を挟んでその近くに一対の係止突部４２，４２が設けられる。そこで、ロック部材２０の断面略エ字状の部分２０ａの中央板が摺動溝４０に挿入され、断面略エ字状の部分２０ａの上部板２０ｃと下部板が底面の部材２６の上下の両面側に位置するように組み付けられて、図７の状態とされる。ここで、一対の係止突部４２，４２が、上部板２０ｃの両側縁にほぼ接した状態となるように設定されている。そして、図１０のロック部材２０を引き込んだ状態から、ロック部材２０を突出させるように移動させる力を作用させると、上部材２０ｃの両側縁が弾性変形することで突部２０ｅ，２０ｅ…が一対の係止突部４２，４２を通過し、図１１のごとくロック部材２０を突出した状態とすることができる。図１０のロック部材２０が引き込んだ状態では、図７のごとく、突出部２０ｂは、側面の突出口２２に臨んでいて、しかも凹状のあり溝１６の底面から突出していない状態にある。そして、図１１のロック部材２０が突出した状態では、凹状のあり溝１６の底面から突出部２０ｂが突出した状態となる。なお、突出部２０ｂに設けた張り出し部２０ｆは、筐体の側面内側に当接してロック部材２０の突出を規制するように作用する。
【００１７】
次に、かかる構造のワイヤレスマイク用の充電器１０の連結について説明する。まず２台の充電器１０，１０の凹状のあり溝１６と凸状のあり溝１８をそれぞれ対向させ、上下方向の相対移動により係合させて２台の充電器１０，１０を機械的に連結して一体化する。さらに、必要な台数の充電器１０，１０…を順次に連結して一体化する。図１２ないし図１３では、３台の充電器を連結したものである。さらに、連結面にあるロック部材２０，２０を突出させて、隣接する充電器１０，１０の係合孔２４，２４に突出部２０ｂ、２０ｂをそれぞれに挿入係合させる。このロック部材２０，２０の突出方向は、凹状と凸状のあり溝１６，１８の係合方向と直交している。そこで、ロック部材２０，２０の突出により凹状と凸状のあり溝１６，１８の係合方向の相対移動が規制され、係合が外れることがない。充電器１０，１０…の係合を外すには、ロック部材２０，２０を引き込み状態として、凹状と凸状のあり溝１６，１８の係合方向の相対移動ができるようにすれば、簡単に行うことができる。さらに、図１２のごとく、連結コード３２を、連結溝３８，３８…を経て、そのアウトレット３０，３０を隣接して連結された他の充電器１０，１０のインレット３４，３４に電気的接続させ、また他の充電器１０のアウトレット３０が接続されない一端の充電器１０のインレット３４には、連通溝３８を経てＡＣ１００Ｖ電源コード４４のアウトレットが電気的接続される。なお、他端の充電器１０のアウトレット３０は、自己の固定用孔３６に挿入固定されれば良い。
【００１８】
そして、本発明のワイヤレスマイク用の充電器１０内には、インレット３４にワイヤレスマイクに充電するために充電回路４６と保護回路４８が電気的に接続されて設けられ、さらに保護回路４８に連結コード３２が電気的接続される。保護回路４８は、一例としてヒューズ等であり過電流を阻止するものである。そして、アウトレット３０を隣接して連結された他の充電器１０のインレット３４に電気的接続することにより、図１４に示すごとく、連結された３台の充電器１０，１０，１０はＡＣ１００Ｖに充電回路４６，４６，４６がそれぞれ並列接続された電気回路が形成される。
【００１９】
なお、凹状と凸状のあり溝１６，１８の断面形状は、上記実施例に限られず、いかなる形状であっても良い。また、あり溝１６，１８の係合方向は縦方向に限られず横方向であっても良いことは勿論である。さらに、あり溝１６，１８の係合が外れるのを規制するロック部材２０の機構は、上記実施例に限られず、あり溝１６，１８の係合方向への相対移動が規制できればいかなる機構であっても良い。そしてまた、隣接して連結された充電器１０，１０を互いに電気的接続する連結コード３２とインレット３４は、底面の凹部２８に設けるものに限られず、連結により外部から見えなくなる部分に凹部を設けて適宜配設しても良い。さらに、電源の印加、充電中、充電完了等の表示は、上記実施例のごとく、それぞれに表示を設けたものに限られず、１つの表示手段が適宜に表示色および点灯強度を変化させる等して表示するものであっても良い。
【図面の簡単な説明】
【００２０】
【図１】本発明のワイヤレスマイク用の充電器の一実施例の単体の平面図である。
【図２】正面図である。
【図３】背面図である。
【図４】底面図である。
【図５】右側面図であり、ワイヤレスマイクの挿入状態を一点鎖線で付加した図である。
【図６】ロック部材を示し、（ａ）は平面図、（ｂ）は正面図、（ｃ）は底面図、（ｄ）は側面図、（ｅ）は（ｂ）のＡ−Ａ矢視断面図である。
【図７】充電器の筐体にロック部材を組み付けた状態の要部縦断面図である。
【図８】図７の底面の部材の要部Ｂ矢視図である。
【図９】図７の底面の部材の要部Ｃ矢視図である。
【図１０】組み付けられて引き込み状態に設定されたロック部材の平面図である。
【図１１】突出状態に設定されたロック部材の平面図である。
【図１２】本発明のワイヤレスマイク用の充電器を３台連結した状態の底面図である。
【図１３】３台連結した状態の側面図である。
【図１４】３台連結した状態の電気回路図である。
【符号の説明】
【００２１】
１０  ワイヤレスマイク用の充電器
１６  凹状のあり溝
１８  凸状のあり溝
２０  ロック部材
２０ｂ  突出部
２２  突出口
２４  係合孔
２６  底面の部材
２８  凹部
３０  アウトレット
３２  連結コード
３４  インレット
３８  連通溝
４０  摺動溝
４２  係止突部
４４  ＡＣ１００Ｖ電源コード
４６  充電回路
４８  保護回路
【図１】
2005229785.tif 000003
【図２】
2005229785.tif 000004
【図３】
2005229785.tif 000005
【図４】
2005229785.tif 000006
【図５】
2005229785.tif 000007
【図６】
2005229785.tif 000008
【図７】
2005229785.tif 000009
【図８】
2005229785.tif 000010
【図９】
2005229785.tif 000011
【図１０】
2005229785.tif 000012
【図１１】
2005229785.tif 000013
【図１２】
2005229785.tif 000014
【図１３】
2005229785.tif 000015
【図１４】
2005229785.tif 000016